(57)【要約】【課題】表示ムラを低減することの可能な有機電界発光パネル、およびそれを備えた電子機器を提供する。【解決手段】本開示の一実施の形態の有機電界発光パネルは、基板上にマトリクス状に配置された複数の表示画素を備えている。表示画素は、発光色の互いに異なる複数の副画素を含んでいる。各副画素は、画素電極を含む発光領域と、発光領域の周囲に設けられた可視光透過領域とを有するとともに、発光領域から可視光透過領域に渡って設けられた有機発光層を有している。各副画素において、可視光透過領域は、発光領域に対して、複数の表示画素の第１の配列方向の位置に設けられている。【選択図】図１２
2019186023.tif 000002
【特許請求の範囲】
【請求項１】
基板上にマトリクス状に配置された複数の表示画素を備え、
前記表示画素は、発光色の互いに異なる複数の副画素を含み、
各前記副画素は、画素電極と対向する発光領域と、前記発光領域の周囲に設けられた可視光透過領域とを有するとともに、前記発光領域から前記可視光透過領域に渡って設けられた有機発光層を有し、
各前記副画素において、前記可視光透過領域は、前記発光領域に対して、前記複数の表示画素の第１の配列方向の位置に設けられている
有機電界発光パネル。
【請求項２】
各前記副画素において、前記可視光透過領域は、前記発光領域の、前記第１の配列方向の両脇に設けられている
請求項１に記載の有機電界発光パネル。
【請求項３】
前記有機発光層は、塗布膜によって構成されている
請求項１または請求項２に記載の有機電界発光パネル。
【請求項４】
前記複数の副画素を、前記第１の配列方向において区画する複数の第１壁部を更に備えた
請求項１から請求項３のいずれか一項に記載の有機電界発光パネル。
【請求項５】
互いに隣り合う２つの前記第１壁部に挟まれた領域において、互いに隣り合う２つの前記副画素同士を区画し、前記第１壁部の高さよりも低い第２壁部を更に備え、
前記有機発光層は、前記第２壁部をまたいで、互いに隣り合う２つの前記副画素の一方から他方に渡って設けられている
請求項４に記載の有機電界発光パネル。
【請求項６】
前記基板上にマトリクス状に配置された、光透過性の複数の非表示画素を備え、
前記複数の非表示画素は、前記第１の配列方向と直交する第２の配列方向において、前記複数の表示画素とともに交互に配置されている
請求項４に記載の有機電界発光パネル。
【請求項７】
前記副画素と前記非表示画素とを、前記第２の配列方向において区画し、前記第１壁部の高さよりも低い第３壁部を更に備え、
前記有機発光層は、前記第３壁部をまたいで、前記副画素から前記非表示画素に渡って設けられている
請求項６に記載の有機電界発光パネル。
【請求項８】
前記基板は、可視光透過性の基板である
請求項１から請求項７のいずれか一項に記載の有機電界発光パネル。
【請求項９】
有機電界発光パネルと、前記有機電界発光パネルを駆動する駆動回路とを備え、
前記有機電界発光パネルは、基板上にマトリクス状に配置された複数の表示画素を備え、
前記表示画素は、発光色の互いに異なる複数の副画素を含み、
各前記副画素は、画素電極と対向する発光領域と、前記発光領域の周囲に設けられた光透過領域とを有するとともに、前記発光領域から前記光透過領域に渡って設けられた有機発光層を有し、
各前記副画素において、前記光透過領域は、前記発光領域に対して、前記複数の表示画素の第１の配列方向の位置に設けられている
電子機器。
【発明の詳細な説明】
【技術分野】
【０００１】
本開示は、有機電界発光パネルおよび電子機器に関する。
【背景技術】
【０００２】
有機電界発光素子を用いた有機電界発光装置（有機電界発光ディスプレイ）として、種々のものが提案されている（例えば、特許文献１，２参照）。
【先行技術文献】
【特許文献】
【０００３】
【特許文献１】特開２０１１−４９０２８号公報
【特許文献２】特開２０１１−６０５９２号公報
【発明の概要】
【発明が解決しようとする課題】
【０００４】
ところで、有機電界発光装置では、輝度ムラや色再現ムラなどの表示ムラの低減が求められている。そのため、表示ムラを低減することの可能な有機電界発光パネル、およびそれを備えた電子機器を提供することが望ましい。
【課題を解決するための手段】
【０００５】
本開示の一実施の形態の有機電界発光パネルは、基板上にマトリクス状に配置された複数の表示画素を備えている。表示画素は、発光色の互いに異なる複数の副画素を含んでいる。各副画素は、画素電極と対向する発光領域と、発光領域の周囲に設けられた可視光透過領域とを有するとともに、発光領域から可視光透過領域に渡って設けられた有機発光層を有している。各副画素において、可視光透過領域は、発光領域に対して、複数の表示画素の第１の配列方向の位置に設けられている。
【０００６】
本開示の一実施の形態の電子機器は、上記の有機電界発光パネルと、上記の有機電界発光パネルを駆動する駆動回路とを備えている。
【０００７】
本開示の一実施の形態の有機電界発光パネルおよび電子機器では、各副画素に、有機発光層を共有する発光領域および可視光透過領域が設けられており、各副画素において、可視光透過領域は、発光領域に対して、複数の表示画素の第１の配列方向の位置に設けられている。これにより、可視光透過領域からなる副画素を表示画素ごとに設けた場合と比べて、表示画素内に可視光透過領域を設けつつ、副画素のサイズを大きくすることができる。
【発明の効果】
【０００８】
本開示の一実施の形態の有機電界発光パネルおよび電子機器によれば、可視光透過領域からなる副画素を表示画素ごとに設けた場合と比べて、表示画素内に可視光透過領域を設けつつ、副画素のサイズを大きくすることができるようにしたので、例えば、塗布で有機発光層を形成する場合に、副画素ごとの有機発光層の膜厚をより均一化することができ、互いに隣接する副画素間で混色が生じる可能性を低減することができる。従って、輝度ムラや色再現ムラなどの表示ムラを低減することができる。なお、本開示の効果は、ここに記載された効果に必ずしも限定されず、本明細書中に記載されたいずれの効果であってもよい。
【図面の簡単な説明】
【０００９】
【図１】本開示の一実施の形態に係る有機電界発光装置の概略構成例を表す図である。
【図２】図１の各画素に含まれる副画素の回路構成例を表す図である。
【図３】図１の有機電界発光パネルの概略構成例を表す図である。
【図４】図３の有機電界発光パネルのＡ−Ａ線での断面構成例を表す図である。
【図５】図３の有機電界発光パネルのＢ−Ｂ線での断面構成例を表す図である。
【図６】図３の有機電界発光パネルのＣ−Ｃ線での断面構成例を表す図である。
【図７】図３の有機電界発光パネルのＤ−Ｄ線での断面構成例を表す図である。
【図８】図３の有機電界発光パネルの製造方法を説明するための断面図である。
【図９】図１の有機電界発光パネルの概略構成の一変形例を表す図である。
【図１０】図９の有機電界発光パネルのＡ−Ａ線での断面構成例を表す図である。
【図１１】図１０の有機電界発光パネルの製造方法を説明するための断面図である。
【図１２】図３の有機電界発光パネルの概略構成の一変形例を表す図である。
【図１３】図９の有機電界発光パネルの概略構成の一変形例を表す図である。
【図１４】図１２、図１３の有機電界発光パネルのＡ−Ａ線での断面構成例を表す図である。
【図１５】本開示の有機電界発光装置を備えた電子機器の外観の一例を斜視的に表す図である。
【図１６】本開示の有機電界発光素子を備えた照明装置の外観の一例を斜視的に表す図である。
【発明を実施するための形態】
【００１０】
以下、本開示を実施するための形態について、図面を参照して詳細に説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。なお、各図は、模式図であり、必ずしも厳密に図示されたものではない。また、各図において、実質的に同一の構成に対しては同一の符号を付しており、重複する説明は省略又は簡略化する。
【００１１】
＜１．実施の形態＞
[構成]
図１は、本開示の一実施の形態に係る有機電界発光装置１の概略構成例を表したものである。図２は、有機電界発光装置１に設けられた各画素１１に含まれる副画素１２の回路構成の一例を表したものである。有機電界発光装置１は、例えば、有機電界発光パネル１０、コントローラ２０およびドライバ３０を備えている。ドライバ３０は、例えば、有機電界発光パネル１０の外縁部分に実装されている。有機電界発光パネル１０は、行列状に配置された複数の画素１１を有している。コントローラ２０およびドライバ３０は、外部から入力された映像信号Ｄｉｎおよび同期信号Ｔｉｎに基づいて、有機電界発光パネル１０（複数の画素１１）を駆動する。
【００１２】
（有機電界発光パネル１０）
有機電界発光パネル１０は、コントローラ２０およびドライバ３０によって各画素１１がアクティブマトリクス駆動されることにより、外部から入力された映像信号Ｄｉｎおよび同期信号Ｔｉｎに基づく画像を表示する。有機電界発光パネル１０は、行方向に延在する複数の走査線ＷＳＬと、列方向に延在する複数の信号線ＤＴＬおよび複数の電源線ＤＳＬと、行列状に配置された複数の画素１１とを有している。
【００１３】
走査線ＷＳＬは、各画素１１の選択に用いられるものであり、各画素１１を所定の単位（例えば画素行）ごとに選択する選択パルスを各画素１１に供給するものである。信号線ＤＴＬは、映像信号Ｄｉｎに応じた信号電圧Ｖｓｉｇの、各画素１１への供給に用いられるものであり、信号電圧Ｖｓｉｇを含むデータパルスを各画素１１に供給するものである。電源線ＤＳＬは、各画素１１に電力を供給するものである。
【００１４】
各画素１１は、例えば、赤色光を発する副画素１２、緑色光を発する副画素１２、および青色光を発する副画素１２を含んで構成されている。つまり、複数の副画素１２は、所定の数ごとに表示画素（画素１１）としてグループ分けされている。なお、各画素１１は、例えば、さらに、他の色（例えば、白色や、黄色など）を発する副画素１２を含んで構成されていてもよい。各画素１１において、複数の副画素１２は、例えば、所定の方向に一列に並んで配置されている。
【００１５】
各信号線ＤＴＬは、後述の水平セレクタ３１の出力端に接続されている。各画素列には、例えば、複数の信号線ＤＴＬが１本ずつ、割り当てられている。各走査線ＷＳＬは、後述のライトスキャナ３２の出力端に接続されている。各画素行には、例えば、複数の走査線ＷＳＬが１本ずつ、割り当てられている。各電源線ＤＳＬは、電源の出力端に接続されている。各画素行には、例えば、複数の電源線ＤＳＬが１本ずつ、割り当てられている。
【００１６】
各副画素１２は、画素回路１２−１と、有機電界発光素子１２−２とを有している。有機電界発光素子１２−２の構成については、後に詳述する。
【００１７】
画素回路１２−１は、有機電界発光素子１２−２の発光・消光を制御する。画素回路１２−１は、後述の書込走査によって各副画素１２に書き込んだ電圧を保持する機能を有している。画素回路１２−１は、例えば、駆動トランジスタＴｒ１、書込トランジスタＴｒ２および保持容量Ｃｓを含んで構成されている。
【００１８】
書込トランジスタＴｒ２は、駆動トランジスタＴｒ１のゲートに対する、映像信号Ｄｉｎに対応した信号電圧Ｖｓｉｇの印加を制御する。具体的には、書込トランジスタＴｒ２は、信号線ＤＴＬの電圧をサンプリングするとともに、サンプリングにより得られた電圧を駆動トランジスタＴｒ１のゲートに書き込む。駆動トランジスタＴｒ１は、有機電界発光素子１２−２に直列に接続されている。駆動トランジスタＴｒ１は、有機電界発光素子１２−２を駆動する。駆動トランジスタＴｒ１は、書込トランジスタＴｒ２によってサンプリングされた電圧の大きさに応じて有機電界発光素子１２−２に流れる電流を制御する。保持容量Ｃｓは、駆動トランジスタＴｒ１のゲート−ソース間に所定の電圧を保持するものである。保持容量Ｃｓは、所定の期間中に駆動トランジスタＴｒ１のゲート−ソース間電圧Ｖｇｓを一定に保持する役割を有する。なお、画素回路１２−１は、上述の２Ｔｒ１Ｃの回路に対して各種容量やトランジスタを付加した回路構成となっていてもよいし、上述の２Ｔｒ１Ｃの回路構成とは異なる回路構成となっていてもよい。
【００１９】
各信号線ＤＴＬは、後述の水平セレクタ３１の出力端と、書込トランジスタＴｒ２のソースまたはドレインとに接続されている。各走査線ＷＳＬは、後述のライトスキャナ３２の出力端と、書込トランジスタＴｒ２のゲートとに接続されている。各電源線ＤＳＬは、電源回路と、駆動トランジスタＴｒ１のソースまたはドレインに接続されている。
【００２０】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が有機電界発光素子２１−２の陽極２１に接続されている。保持容量Ｃｓの一端が駆動トランジスタＴｒ１のゲートに接続されている。保持容量Ｃｓの他端が駆動トランジスタＴｒ１のソースおよびドレインのうち有機電界発光素子２１−２側の端子に接続されている。
【００２１】
（ドライバ３０）
ドライバ３０は、例えば、水平セレクタ３１およびライトスキャナ３２を有している。水平セレクタ３１は、例えば、制御信号の入力に応じて（同期して）、コントローラ２０から入力されたアナログの信号電圧Ｖｓｉｇを、各信号線ＤＴＬに印加する。ライトスキャナ３２は、複数の副画素１２を所定の単位ごとに走査する。
【００２２】
（コントローラ２０）
次に、コントローラ２０について説明する。コントローラ２０は、例えば、外部から入力されたデジタルの映像信号Ｄｉｎに対して所定の補正を行い、それにより得られた映像信号に基づいて、信号電圧Ｖｓｉｇを生成する。コントローラ２０は、例えば、生成した信号電圧Ｖｓｉｇを水平セレクタ３１に出力する。コントローラ２０は、例えば、外部から入力された同期信号Ｔｉｎに応じて（同期して）、ドライバ３０内の各回路に対して制御信号を出力する。
【００２３】
次に、図３〜図５を参照して、有機電界発光素子１２−２について説明する。図３は、有機電界発光パネル１０の概略構成例を表したものである。図４は、図３の有機電界発光パネル１０のＡ−Ａ線での断面構成例（つまり画素１１の行方向の断面構成例）を表したものである。図５は、図３の有機電界発光パネル１０のＢ−Ｂ線での断面構成例（つまり副画素１２（１２Ｒ）の列方向の断面構成例）を表したものである。図６は、図３の有機電界発光パネル１０のＣ−Ｃ線での断面構成例（つまり副画素１２（１２Ｒ）の列方向の断面構成例）を表したものである。図７は、図３の有機電界発光パネル１０のＤ−Ｄ線での断面構成例（つまり副画素１２（１２Ｒ）の列方向の断面構成例）を表したものである。なお、図５には、後述の桟部１４Ｂを避けた箇所であって、かつ底面に陽極２１が露出している箇所の断面構成例が示されている。図６には、桟部１４Ｂを含む箇所での断面構成例が示されている。図７には、後述の桟部１４Ｂを避けた箇所であって、かつ底面に陽極２１が存在しない箇所の断面構成例が示されている。
【００２４】
有機電界発光パネル１０は、行列状に配置された複数の画素１１を有している。各画素１１は、例えば、上述したように、赤色光を発する副画素１２（１２Ｒ）、緑色光を発する副画素１２（１２Ｇ）、および青色光を発する副画素１２（１２Ｂ）を含んで構成されている。
【００２５】
副画素１２Ｒは、赤色の光を発する有機電界発光素子１２−２（１２ｒ）を含んで構成されている。副画素１２Ｇは、緑色の光を発する有機電界発光素子１２−２（１２ｇ）を含んで構成されている。副画素１２Ｂは、青色の光を発する有機電界発光素子１２−２（１２ｂ）を含んで構成されている。副画素１２Ｒ，１２Ｇ，１２Ｂは、例えば、ストライプ配列となっている。各画素１１において、例えば、副画素１２Ｒ，１２Ｇ，１２Ｂが、行方向に並んで配置されている。さらに、各画素行において、例えば、同一色の光を発する複数の副画素１２が、列方向に並んで配置されている。
【００２６】
有機電界発光パネル１０は、基板１６を有している。基板１６は、例えば、各有機電界発光素子１２−２、絶縁層１４、後述の各列規制部１３Ｃおよび後述の各行規制部１４Ｄなどを支持する基材と、基材上に設けられた配線層とによって構成されている。基板１６内の基材は、可視光透過性を有する基板によって構成されている。基板１６内の基材は、例えば、無アルカリガラス、ソーダガラス、無蛍光ガラス、燐酸系ガラス、硼酸系ガラスまたは石英などによって形成されている。基板１６内の基材は、例えば、アクリル系樹脂、スチレン系樹脂、ポリカーボネート系樹脂、エポキシ系樹脂、ポリエチレン、ポリエステル、シリコーン系樹脂、またはアルミナなどによって形成されていてもよい。基板１６内の配線層には、例えば、各画素１１の画素回路１２−１が形成されている。なお、基板１６において、少なくとも、後述の光透過領域２４Ｂと対向する箇所は、光透過性を有している。
【００２７】
有機電界発光パネル１０は、さらに、基板１６上に絶縁層１４を有している。絶縁層１４は、各副画素１２を区画するためのものである。絶縁層１４の厚さの上限は、膜厚ばらつき、ボトム線幅の制御の観点から製造上形状制御の可能な範囲内となっていることが好ましく、１０μｍ以下となっていることが好ましい。また、絶縁層１４の厚さの上限は、露光工程での露光時間増大によるタクト増加を抑え、量産工程での生産性低下を抑えることの可能な範囲内となっていることがより好ましく、７μｍ以下となっていることがより好ましい。また、絶縁層１４の厚さの下限は、膜厚が薄くなるとともにボトム線幅を膜厚とほぼ同程度に補足する必要があることから、露光機および材料の解像度限界により決定される。絶縁層１４の厚さの下限は、膜平坦性の観点から薄い方がよく、生産性の観点から０．５μｍ以上となっていることが好ましい。従って、絶縁層１４の厚さは、０．５μｍ以上１０μｍ以下となっていることが好ましく、０．５μｍ以上７μｍ以下となっていることがより好ましい。
【００２８】
絶縁層１４は、各副画素１２を区画する複数の列規制部１４Ｃおよび複数の行規制部１４Ｄを有している。列規制部１４Ｃが、本開示の「第１壁部」の一具体例に相当する。行規制部１４Ｄが、本開示の「第２壁部」の一具体例に相当する。
【００２９】
各列規制部１４Ｃは所定の方向（列方向）に延在しており、各行規制部１４Ｄは列規制部１４Ｃと直交する方向（行方向）に延在している。複数の列規制部１４Ｃは、列方向に延在するとともに、行方向に所定の間隙を介して並列配置されている。複数の行規制部１４Ｄは、行方向に延在するとともに、列方向に所定の間隙を介して並列配置されている。複数の列規制部１４Ｃおよび複数の行規制部１４Ｄは、互いに交差（例えば直交）しており、格子状のレイアウトとなっている。各副画素１２は、互いに隣接する２つの列規制部１４Ｃと、互いに隣接する２つの行規制部１４Ｄとによって囲まれている。従って、互いに隣接する２つの列規制部１４Ｃと、互いに隣接する２つの行規制部１４Ｄとによって、各副画素１２が区画されている。
【００３０】
絶縁層１４は、副画素１２ごとに、列方向に延在する桟部１４Ｂを有している。さらに、絶縁層１４は、互いに隣接する２つの列規制部１４Ｃと、互いに隣接する２つの行規制部１４Ｄとによって囲まれた領域内であって、かつ、各桟部１４Ｂの未形成の箇所に、複数（例えば２つ）のスリット状の開口部１４Ａを有している。各副画素１２において、一方の開口部１４Ａの底面には、後述の陽極２１の表面が露出している。そのため、開口部１４Ａの底面に露出した陽極２１から供給される正孔と、後述の陰極２７から供給される電子とが、後述の有機層２４で再結合することにより、後述の有機層２４で発光が生じる。従って、後述の有機層２４のうち、底面に陽極２１が露出している開口部１４Ａと対向する領域が、発光領域２４Ａとなる。
【００３１】
各副画素１２において、他方の開口部１４Ａの底面には、陽極２１の表面が露出しておらず、他方の開口部１４Ａと対向する箇所には、陽極２１が設けられていない。さらに、各副画素１２において、他方の開口部１４Ａと対向する箇所は、可視光透過性を有している。従って、各副画素１２において、他方の開口部１４Ａと対向する箇所は、可視光透過性を有する光透過領域２４Ｂとなる。各副画素１２において、光透過領域２４Ｂは、発光領域２４Ａの周囲に設けられている。具体的には、各副画素１２において、光透過領域２４Ｂは、発光領域２４Ａに対して、複数の画素１１の所定の配列方向（第１の配列方向）の位置に設けられている。「所定の配列方向」とは、具体的には、列規制部１４Ｃの延在方向と直交する方向を指している。
【００３２】
行規制部１４Ｄの高さ（基板１６からの高さ）は、例えば、図４〜図７に示したように、列規制部１４Ｃの高さ（基板１６からの高さ）よりも低くなっている。行規制部１４Ｄの高さ（基板１６からの高さ）は、例えば、有機電界発光素子１２−２における陽極２１および陰極２７の距離（例えば１．２μｍ）の８０％以下の高さ（例えば０．８μｍ）となっていることが好ましい。このとき、列方向に並ぶ複数の副画素１２は、これらの副画素１２の左右の２つの列規制部１４Ｃによって形成された帯状の溝部１７の中に配置されており、例えば、後述の有機層２４を互いに共有している。つまり、有機層２４は、行規制部１４Ｄをまたいで、互いに隣り合う２つの副画素１２の一方から他方に渡って設けられている。言い換えると、有機層２４は、行規制部１４Ｄをまたいで、互いに隣り合う２つの副画素１２において互いに共有している。
【００３３】
各開口部１４Ａの行方向の断面は、例えば、図４に示したように、上方に拡幅した台形形状となっている。また、各開口部１４Ａの列方向の断面は、例えば、図５に示したように、上方に拡幅した台形形状となっている。また、各開口部１４Ａの側面は、後述の有機層２４から発せられた光を立ち上げるリフレクタ構造となっていてもよい。後述の保護層２８Ａの屈折率をｎ1、絶縁層１４の屈折率をｎ2とすると、ｎ1、ｎ2は、以下の式（１），（２）を満たす。ｎ2は、１．４以上、１．６以下となっていることが好ましい。これにより、後述の有機層２４から発せられた光の、外部への取り出し効率が向上する。
１．１≦ｎ1≦１．８…（１）
｜ｎ1−ｎ2｜≧０．２０…（２）
【００３４】
また、さらに、各開口部１４Ａの深さＤ（つまり、絶縁層１４の厚さ）、絶縁層１４の上面側の開口幅Ｗｈ、絶縁層１４の下面側の開口幅ＷＬは、以下の式（３），（４）を満たすことが好ましい。
０．５≦ＷＬ／Ｗｈ≦０．８…（３）
０．５≦Ｄ／ＷＬ≦２．０…（４）
【００３５】
係る形状、屈折率条件とすることにより、絶縁層１４の開口１４Ａによるリフレクタ構造により、発光層２４からの光取り出し効率を向上させることができる。その結果、発明者らの検討によると、リフレクタ構造が無い場合に対し副画素２２あたりの輝度を１．２〜１．５倍に増加させることができる。
【００３６】
絶縁層１４は、例えば、絶縁性の有機材料によって形成されている。絶縁性の有機材料としては、例えば、アクリル系樹脂、ポリイミド系樹脂、ノボラック型フェノール樹脂、シリコン樹脂、フッ素樹脂などが挙げられる。絶縁層１４は、例えば、耐熱性、溶媒に対する耐性を持つ絶縁性樹脂によって形成されていることが好ましい。列規制部１４Ｃおよび行規制部１４Ｄは、例えば、絶縁性樹脂をフォトリソグラフィおよび現像によって所望のパターンに加工することによって形成される。列規制部１４Ｃの断面形状は、例えば、図６に示したような順テーパ型でとなっている。行規制部１４Ｄの断面形状は、例えば、図７に示したような順テーパ型でとなっている。
【００３７】
有機電界発光パネル１０は、例えば、絶縁層１４上に、複数のラインバンク１３を有している。各ラインバンク１３は、列方向に延在しており、列規制部１４Ｃの上面に接して配置されている。各ラインバンク１３は、撥液性を有している。従って、各ラインバンク１３は、基板１６上に有機電界発光素子１２−２を作る際に、インクが別色の副画素１２内に流れ込むのを防止する。
【００３８】
各有機電界発光素子１２−２は、例えば、基板１６上に、陽極２１、正孔注入層２２、正孔輸送層２３、発光層２４（有機発光層）、電子輸送層２５、電子注入層２６および陰極２７をこの順に備えたものである。
【００３９】
有機電界発光素子１２−２は、例えば、発光層２４と、発光層２４を挟み込むように配置された、陽極２１および陰極２７を備えている。有機電界発光素子１２−２は、例えば、さらに、陽極２１と、発光層２４との間に、正孔注入層２２および正孔輸送層２３を陽極２１側からこの順に備えている。なお、正孔注入層２２および正孔輸送層２３のうち少なくとも一方が省略されていてもよい。有機電界発光素子１２−２は、例えば、さらに、発光層２４と、陰極２７との間に、電子輸送層２５および電子注入層２６を発光層２４側からこの順に備えている。なお、電子輸送層２５および電子注入層２６のうち少なくとも一方が省略されていてもよい。有機電界発光素子１２−２は、例えば、陽極２１、正孔注入層２２、正孔輸送層２３、発光層２４、電子輸送層２５、電子注入層２６および陰極２７を基板２１側からこの順に含んで構成された素子構造となっている。有機電界発光素子１２−２において、さらに他の機能層が含まれていてもよい。
【００４０】
正孔注入層２２は、正孔注入効率を高めるための層である。正孔輸送層２３は、陽極２１から注入された正孔を有機発光層２４へ輸送するための層である。発光層２４は、電子と正孔との再結合により、所定の色の光を発する層である。電子輸送層２５は、陰極２７から注入された電子を有機発光層２４へ輸送するための層である。電子注入層２６は、電子注入効率を高めるための層である。正孔注入層２２および電子注入層２６のうち少なくとも一方が省略されていてもよい。各有機電界発光素子１２−２は、上述以外の層をさらに有していてもよい。
【００４１】
陽極２１は、例えば、基板１６の上に形成されている。陽極２１は、例えば、アルミニウム（Ａｌ）、銀（Ａｇ）、アルミニウムもしくは銀の合金等、または、反射性を有する反射電極である。陽極２１は、反射電極と透明電極とが積層されたものであってもよい。透明電極の材料としては、例えば、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等の透明導電性材料が挙げられる。陽極２１の端縁は、例えば、絶縁層１４内に埋め込まれている。陽極２１の端縁が絶縁層１４内に埋め込まれている場合には、各開口１４Ａの大きさ（具体的には、各開口１４Ａの底面の大きさ）を変えることにより、副画素１２のサイズ（面積）や、発光領域２４Ａのサイズ（面積）を調整することが可能となる。
【００４２】
陰極２７は、例えば、ＩＴＯ膜もしくはＩＺＯ膜等の透明電極である。本実施の形態において、陽極２１が反射性を有し、陰極２７が透光性を有している場合には、有機電界発光素子１２−２は、陰極２７側から光が放出するトップエミッション構造となっている。また、本実施の形態では、基板１６が可視光透過性を有しているので、観察者は、有機電界発光パネル１０の背後を視認することが可能となっている。つまり、有機電界発光パネル１０は、可視光透過性のパネルとなっている。
【００４３】
正孔注入層２２は、陽極２１から発光層２４へ正孔の注入を促進させる機能を有する。正孔注入層２２は、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物、あるいは、ＰＥＤＯＴ（ポリチオフェンとポリスチレンスルホン酸との混合物）などの導電性ポリマー材料によって構成されている。正孔注入層２２は、単層で構成されていてもよいし、複数の層が積層された構造となっていてもよい。
【００４４】
正孔輸送層２３は、陽極２１から注入された正孔を発光層２４へ輸送する機能を有する。正孔輸送層２３は、例えば、陽極２１から注入された正孔を発光層２４へ輸送する機能を有する材料（以下、「正孔輸送性材料２３Ｍ」と称する。）によって構成されている。正孔輸送層２３は、正孔輸送性材料２３Ｍを主成分として含んで構成されている。
【００４５】
正孔輸送層２３の原料（材料）である正孔輸送性材料２３Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、ヒドラゾン誘導体、トリフェニルメタン誘導体、テトラフェニルベンジン誘導体等、または、これらの組み合わせからなる材料である。正孔注入層２２と正孔輸送層２３の各材料のＨＯＭＯ(最高被占軌道，Highest occupied molecular orbital)レベルの差異は、ホール注入性を考慮すると、０．５ｅＶ以下となっていることが好ましい。
【００４６】
発光層２４は、陽極２１から注入された正孔と、陰極２７から注入された電子とが、発光層２４内で再結合することで励起子が生成されて発光する層である。発光層２４は、例えば、塗布膜である。発光層２４は、正孔と電子との再結合により励起子を生成し発光する有機材料（以下、「有機発光材料２４Ｍ」と称する。）を溶質の主成分とする溶液の塗布および乾燥により形成されている。発光層２４は、有機発光材料２４Ｍを主成分として含んで構成されている。副画素１２Ｒに含まれる有機電界発光素子１２ｒでは、有機発光材料２４Ｍが赤色有機発光材料を含んで構成されている。副画素１２Ｇに含まれる有機電界発光素子１２ｇでは、有機発光材料２４Ｍが緑色有機発光材料を含んで構成されている。副画素１２Ｂに含まれる有機電界発光素子１２ｂでは、有機発光材料２４Ｍが青色有機発光材料を含んで構成されている。
【００４７】
発光層２４は、例えば、単層の有機発光層、または、積層された複数の有機発光層によって構成されている。発光層２４が積層された複数の有機発光層によって構成されている場合には、発光層２４は、例えば、主成分が互いに共通の複数の有機発光層を積層したものである。このとき、複数の有機発光層は、ともに、塗布膜である。複数の有機発光層は、ともに、有機発光材料２４Ｍを溶質の主成分とする溶液の塗布および乾燥により形成されている。
【００４８】
発光層２４の原料（材料）である有機発光材料２４Ｍは、例えば、ドーパント材料単独であってもよいが、より好ましくは、ホスト材料とドーパント材料との組み合わせがよい。つまり、発光層２４は、有機発光材料２４Ｍとして、ホスト材料およびドーパント材料を含んで構成されている。ホスト材料は、主に電子又は正孔の電荷輸送の機能を担っており、ドーパント材料は、発光の機能を担っている。ホスト材料およびドーパント材料は１種類のみに限られるものではなく、２種類以上の組み合わせであってもよい。ドーパント材料の量は、ホスト材料に対して、０．０１重量％以上３０重量％以下であるとよく、より好ましくは、０．０１重量％以上１０重量％以下である。
【００４９】
発光層２４のホスト材料としては、例えば、アミン化合物、縮合多環芳香族化合物、ヘテロ環化合物が用いられる。アミン化合物としては、例えば、モノアミン誘導体、ジアミン誘導体、トリアミン誘導体、テトラアミン誘導体が用いられる。縮合多環芳香族化合物としては、例えば、アントラセン誘導体、ナフタレン誘導体、ナフタセン誘導体、フェナントレン誘導体、クリセン誘導体、フルオランテン誘導体、トリフェニレン誘導体、ペンタセン誘導体、または、ペリレン誘導体等が挙げられる。ヘテロ環化合物としては、例えば、カルバゾール誘導体、フラン誘導体、ピリジン誘導体、ピリミジン誘導体、トリアジン誘導体、イミダゾール誘導体、ピラゾール誘導体、トリアゾール誘導体、オキサゾール誘導体、オキサジアゾール誘導体、ピロール誘導体、インドール誘導体、アザインドール誘導体、アザカルバゾール、ピラゾリン誘導体、ピラゾロン誘導体、または、フタロシアニン誘導体等が挙げられる。
【００５０】
また、発光層２４のドーパント材料としては、例えば、ピレン誘導体、フルオランテン誘導体、アリールアセチレン誘導体、フルオレン誘導体、ペリレン誘導体、オキサジアゾール誘導体、アントラセン誘導体、または、クリセン誘導体が用いられる。また、発光層２４のドーパント材料としては、金属錯体が用いられてもよい。金属錯体としては、例えば、イリジウム（Ｉｒ）、白金（Ｐｔ）、オスミウム（Ｏｓ）、金（Ａｕ）、レニウム（Ｒｅ）、もしくは、ルテニウム（Ｒｕ）等の金属原子と配位子とを有するものが挙げられる。
【００５１】
電子輸送層２５は、陰極２７から注入された電子を発光層２４へ輸送する機能を有する。電子輸送層２５は、電子輸送性を有する有機材料（以下、「電子輸送性材料２５Ｍ」と称する。）主成分として含んで構成されている。電子輸送層２５は、例えば、蒸着膜またはスパッタ膜で構成されている。電子輸送層２５は、発光層２４から陰極２７への電荷（本実施の形態では正孔）の突き抜けを抑制する電荷ブロック機能や、発光層２４の励起状態の消光を抑制する機能等を有していることが好ましい。
【００５２】
電子輸送層２５の原料（材料）である電子輸送性材料２５Ｍは、例えば、分子内にヘテロ原子を１個以上含有する芳香族ヘテロ環化合物である。芳香族ヘテロ環化合物としては、例えば、ピリジン環、ピリミジン環、トリアジン環、ベンズイミダゾール環、フェナントロリン環、キナゾリン環等を骨格に含む化合物が挙げられる。また、電子輸送層２５は、電子輸送性を有する金属を含んでもよい。電子輸送層２５は、電子輸送性を有する金属を含むことで、電子輸送層２５の電子輸送性を向上できる。電子輸送層２５に含まれる金属としては、例えば、バリウム（Ｂａ）、リチウム（Ｌｉ）、カルシウム（Ｃａ）、カリウム（Ｋ）、セシウム（Ｃｓ）、ナトリウム（Ｎａ）、ルビジウム（Ｒｂ）、イットリビウム（Ｙｂ）等を用いることができる。
【００５３】
電子注入層２６は、陰極２７から注入された電子を電子輸送層２５、発光層２４へ注入する機能を有する。電子注入層２６は、例えば、陰極２７から電子輸送層２５、発光層２４への電子の注入を促進させる機能を有する材料（電子注入性材料）によって構成されている。上記の電子注入性材料は、例えば、電子注入性を有する有機材料に、電子注入性を有する金属がドープされたものであってもよい。電子注入層２６に含まれるドープ金属は、例えば、電子輸送層２５に含まれるドープ金属と同じ金属である。電子輸送層２５は、例えば、蒸着膜またはスパッタ膜で構成されている。
【００５４】
本実施の形態では、有機電界発光素子１２−２を構成する各層（例えば、正孔注入層２２、正孔輸送層２３および発光層２４）が、互いに隣接する２つの列規制部１４Ｃによって囲まれた領域（溝部）に設けられた各副画素１２によって共有されている。つまり、有機電界発光素子１２−２を構成する各層（例えば、正孔注入層２２、正孔輸送層２３および発光層２４）が、例えば、図５〜図７に示したように、上記の溝部内において、列方向に延在して形成されており、行規制部１４Ｄをまたいで、各副画素１２に渡って連続して設けられている。
【００５５】
また、本実施の形態では、有機電界発光素子１２−２内の一部の層（例えば、正孔注入層２２、正孔輸送層２３および発光層２４）が、１つの画素１１内の各副画素１２で共有されておらず、１つの画素１１内の副画素１２ごとに別個に形成されている。つまり、有機電界発光素子１２−２内の一部の層（例えば、正孔注入層２２、正孔輸送層２３および発光層２４）は、例えば、図４に示したように、列規制部１４Ｃを避けて形成されている。また、本実施の形態では、有機電界発光素子１２−２内の一部の層（例えば、電子輸送層２５および電子注入層２６）が、１つの画素１１内の各副画素１２で共有されている。つまり、有機電界発光素子１２−２内の一部の層（例えば、電子輸送層２５および電子注入層２６）は、例えば、図４に示したように、列規制部１４Ｃを乗り越えて形成されている。
【００５６】
また、本実施の形態では、陰極２７は、有機電界発光パネル１０の表示全体に渡って形成されている。具体的には、陰極２７は、電子注入層２６、列規制部１４Ｃ、行規制部１４Ｄおよびラインバンク１３の表面全体に渡って連続して形成されている。
【００５７】
有機電界発光素子１２−２は、さらに、例えば、図４〜図７に示したように、有機電界発光素子１２−２を保護および封止する層（封止層２８）を有している。封止層２８は、例えば、エポキシ樹脂や、ビニル系樹脂などの樹脂材料によって形成されている。
【００５８】
[効果]
次に、本実施の形態の有機電界発光パネル１０およびそれを備えた有機電界発光装置１の効果について説明する。
【００５９】
本実施の形態では、各副画素１２に、発光層２４を共有する発光領域２４Ａおよび可視光を透過する光透過領域２４Ｂが設けられており、各副画素１２において、光透過領域２４Ｂは、発光領域２４Ａに対して、複数の画素１１の行方向（第１の配列方向）の位置に設けられている。これにより、光透過領域２４Ｂからなる副画素１２を画素１１ごとに設けた場合と比べて、画素１１内に光透過領域２４Ｂを設けつつ、副画素１２のサイズを大きくすることができる。例えば、図８に示したように、インク液２４ｒ，２４ｇ，２４ｂを滴下するなどの方法で塗布することにより各副画素１２の発光層２４を形成する場合に、各副画素１２に対応する開口部１４Ｈのサイズが、光透過領域２４Ｂからなる副画素１２を画素１１ごとに設けた場合と比べて大きくなっている。これにより、光透過領域２４Ｂからなる副画素１２を画素１１ごとに設けた場合と比べて、副画素１２ごとの有機発光層の膜厚をより均一化することができ、互いに隣接する副画素１２間で混色が生じる可能性を低減することができる。従って、輝度ムラや色再現ムラなどの表示ムラを低減することができる。
【００６０】
また、本実施の形態では、複数の副画素１２が、複数の画素１１の行方向（第１の配列方向）において区画する複数の列規制部１４Ｃ(第１壁部)が設けられている。このとき、互いに隣り合う２つの列規制部１４Ｃに挟まれた領域（溝部）において、互いに隣り合う２つの副画素１２同士を区画し、列規制部１４Ｃの高さよりも低い複数の行規制部１４Ｄ（第２壁部）が設けられている。これにより、行規制部１４Ｄをまたいで、互いに隣り合う２つの副画素１２において有機層２４を互いに共有することができる。その結果、例えば、図８に示したように、インク液２４ｒ，２４ｇ，２４ｂを滴下するなどの方法で塗布することにより各副画素１２の発光層２４を形成する場合に、インク液２４ｒ，２４ｇ，２４ｂを溝部全体に行き渡らせることができる。従って、発光層２４を副画素１２ごとに別個に設けた場合と比べて、副画素１２ごとの発光層２４の膜厚をより均一化することができる。従って、輝度ムラを低減することができる。
【００６１】
また、本実施の形態では、基板１６は可視光透過性の基板である。これにより、各副画素１２の光透過領域２４Ｂを介して、有機電界発光パネル１０の背後に入射した光が有機電界発光パネル１０の前面に透過する。その結果、観察者は、有機電界発光パネル１０の背後を、有機電界発光パネル１０を介して視認することができる。
【００６２】
＜２．変形例＞
次に、上記実施の形態に係る有機電界発光パネル１０の変形例について説明する。
【００６３】
[変形例Ａ]
図９は、上記実施の形態に係る有機電界発光パネル１０の概略構成の一変形例を表したものである。図１０は、図９の有機電界発光パネル１０のＡ−Ａ線での断面構成例（つまり画素１１の行方向の断面構成例）を表したものである。なお、図９におけるＢ−Ｂ線での断面構成例は、例えば、図５に記載の断面構成となっている。また、図９におけるＣ−Ｃ線での断面構成例は、例えば、図６に記載の断面構成となっている。また、図９におけるＤ−Ｄ線での断面構成例は、例えば、図７に記載の断面構成となっている。
【００６４】
上記実施の形態に係る有機電界発光パネル１０の各副画素１２において、光透過領域２４Ｂが、例えば、図９、図１０に示したように、発光領域２４Ａの、複数の画素１１の行方向（第１の配列方向）の両脇に設けられていてもよい。このようにした場合であっても、光透過領域２４Ｂからなる副画素１２を画素１１ごとに設けた場合と比べて、画素１１内に光透過領域２４Ｂを設けつつ、副画素１２のサイズを大きくすることができる。例えば、図１１に示したように、インク液２４ｒ，２４ｇ，２４ｂを滴下するなどの方法で塗布することにより各副画素１２の発光層２４を形成する場合に、各副画素１２に対応する開口部１４Ｈのサイズが、光透過領域２４Ｂからなる副画素１２を画素１１ごとに設けた場合と比べて大きくなっている。これにより、光透過領域２４Ｂからなる副画素１２を画素１１ごとに設けた場合と比べて、副画素１２ごとの有機発光層の膜厚をより均一化することができ、互いに隣接する副画素１２間で混色が生じる可能性を低減することができる。従って、輝度ムラや色再現ムラなどの表示ムラを低減することができる。
【００６５】
[変形例Ｂ]
図１２は、上記実施の形態に係る有機電界発光パネル１０の概略構成の一変形例を表したものである。図１３は、上記変形例Ａに係る有機電界発光パネル１０の概略構成の一変形例を表したものである。有機電界発光パネル１０が、例えば、図１２、図１３に示したように、基板１６上にマトリクス状に配置された、光透過性の複数の非表示画素１５を有していてもよい。各非表示画素１５において、絶縁層１４は、開口部１４Ａを有している。各非表示画素において、開口部１４Ａの１５底面には、例えば、図１４に示したように、陽極２１が設けられておらず、非表示画素１５を介して、有機電界発光パネル１０の背後に入射した光が有機電界発光パネル１０の前面に透過する。これにより、観察者は、有機電界発光パネル１０の背後を、有機電界発光パネル１０を介して視認することができる。
【００６６】
複数の非表示画素１５は、複数の画素１１の所定の配列方向（第１の配列方向）と直交する方向（第２の配列方向）において、複数の画素１１とともに交互に配置されている。「複数の画素１１の所定の配列方向（第１の配列方向）と直交する方向」とは、具体的には、列方向である。複数の非表示画素１５は、列方向において、複数の画素１１とともに交互に配置されている。これにより、各非表示画素１５のサイズを大きくすることができるので、各非表示画素１５を介して有機電界発光パネル１０の前面に透過する光の回折角度が小さくなる。その結果、観察者は、有機電界発光パネル１０の背後を、より鮮明に視認することができる。
【００６７】
また、本変形例では、副画素１２と非表示画素１５とを、列方向において区画し、列規制部１４Ｃの高さよりも低い行規制部１４Ｄ（第３壁部）が設けられている。これにより、行規制部１４Ｄをまたいで、互いに隣り合う副画素１２および非表示画素１５において有機層２４を互いに共有することができる。その結果、例えば、インク液を滴下するなどの方法で塗布することにより各副画素１２および各非表示画素１５の発光層２４を形成する場合に、インク液を溝部全体に行き渡らせることができる。従って、発光層２４を各副画素１２および各非表示画素１５で別個に設けた場合と比べて、各副画素１２および各非表示画素１５の発光層２４の膜厚をより均一化することができる。従って、輝度ムラを低減することができる。
【００６８】
＜３．適用例＞
[適用例その１]
以下では、上記実施の形態およびその変形例に係る有機電界発光装置１の適用例について説明する。上記実施の形態およびその変形例に係る有機電界発光装置１は、テレビジョン装置、デジタルカメラ、ノート型パーソナルコンピュータ、シート状のパーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００６９】
図１５は、本適用例に係る電子機器２の外観を斜視的に表したものである。電子機器３は、例えば、筐体３１０の主面に表示面３２０を備えたシート状のパーソナルコンピュータである。電子機器２は、電子機器２の表示面３２０に、上記実施の形態およびその変形例に係る有機電界発光装置１を備えている。上記実施の形態およびその変形例に係る有機電界発光装置１は、有機電界表示パネル１０が外側を向くように配置されている。本適用例では、上記実施の形態およびその変形例に係る有機電界発光装置１が表示面３２０に設けられているので、表示品質の高い電子機器２を実現することができる。
【００７０】
[適用例その２]
以下では、上記実施の形態およびその変形例に係る有機電界発光素子１２−２の適用例について説明する。上記実施の形態およびその変形例に係る有機電界発光素子１２−２は、卓上用もしくは床置き用の照明装置、または、室内用の照明装置など、あらゆる分野の照明装置の光源に適用することが可能である。
【００７１】
図１６は、上記実施の形態およびその変形例に係る有機電界発光装置１が適用される室内用の照明装置の外観を表したものである。この照明装置は、例えば、上記実施の形態およびその変形例に係る有機電界発光装置１を含んで構成された照明部４１０を有している。照明部４１０は、建造物の天井４２０に適宜の個数および間隔で配置されている。なお、照明部４１０は、用途に応じて、天井４２０に限らず、壁４３０または床（図示せず）など任意の場所に設置することが可能である。
【００７２】
これらの照明装置では、上記実施の形態およびその変形例に係る有機電界発光装置１からの光により、照明が行われる。これにより、照明品質の高い照明装置を実現することができる。
【００７３】
以上、実施の形態を挙げて本開示を説明したが、本開示は実施の形態に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００７４】
また、例えば、本開示は以下のような構成を取ることができる。
（１）
基板上にマトリクス状に配置された複数の表示画素を備え、
前記表示画素は、発光色の互いに異なる複数の副画素を含み、
各前記副画素は、画素電極と対向する発光領域と、前記発光領域の周囲に設けられた可視光透過領域とを有するとともに、前記発光領域から前記可視光透過領域に渡って設けられた有機発光層を有し、
各前記副画素において、前記可視光透過領域は、前記発光領域に対して、前記複数の表示画素の第１の配列方向の位置に設けられている
有機電界発光パネル。
（２）
各前記副画素において、前記可視光透過領域は、前記発光領域の、前記第１の配列方向の両脇に設けられている
（１）に記載の有機電界発光パネル。
（３）
前記有機発光層は、塗布膜によって構成されている
（１）または（２）に記載の有機電界発光パネル。
（４）
前記複数の副画素を、前記第１の配列方向において区画する複数の第１壁部を更に備えた
（１）から（３）のいずれか１つに記載の有機電界発光パネル。
（５）
互いに隣り合う２つの前記第１壁部に挟まれた領域において、互いに隣り合う２つの前記副画素同士を区画し、前記第１壁部の高さよりも低い第２壁部を更に備え、
前記有機発光層は、前記第２壁部をまたいで、互いに隣り合う２つの前記副画素の一方から他方に渡って設けられている
（４）に記載の有機電界発光パネル。
（６）
前記基板上にマトリクス状に配置された、光透過性の複数の非表示画素を備え、
前記複数の非表示画素は、前記第１の配列方向と直交する第２の配列方向において、前記複数の表示画素とともに交互に配置されている
（４）に記載の有機電界発光パネル。
（７）
前記副画素と前記非表示画素とを、前記第２の配列方向において区画し、前記第１壁部の高さよりも低い第３壁部を更に備え、
前記有機発光層は、前記第３壁部をまたいで、前記副画素から前記非表示画素に渡って設けられている
（６）に記載の有機電界発光パネル。
（８）
前記基板は、可視光透過性の基板である
（１）から（７）のいずれか１つに記載の有機電界発光パネル。
（９）
有機電界発光パネルと、前記有機電界発光パネルを駆動する駆動回路とを備え、
前記有機電界発光パネルは、基板上にマトリクス状に配置された複数の表示画素を備え、
前記表示画素は、発光色の互いに異なる複数の副画素を含み、
各前記副画素は、画素電極を含む発光領域と、前記発光領域の周囲に設けられた光透過領域とを有するとともに、前記発光領域から前記光透過領域に渡って設けられた有機発光層を有し、
各前記副画素において、前記光透過領域は、前記発光領域に対して、前記複数の表示画素の第１の配列方向の位置に設けられている
電子機器。
【符号の説明】
【００７５】
１…有機電界発光装置、２…電子機器、１０…有機電界発光パネル、１１…画素、１２，１２Ｒ，１２Ｇ，１２Ｂ…副画素、１２−１…画素回路、１２−２，１２ｒ，１２ｇ，１２ｂ…有機電界発光素子、１３…ラインバンク、１４…絶縁層、１４Ａ…開口、１４Ｂ…桟部、１４Ｃ…列規制部、１４Ｄ…行規制部、１４Ｈ…開口部、１５…非表示画素、１６…基板、２０…コントローラ、２１…陽極、２２…正孔注入層、２３…正孔輸送層、２４…発光層、２４Ａ…発光領域、２４Ｂ，２４Ｃ…光透過領域、２４ｒ，２４ｇ，２４ｂ…インク液、２５…電子輸送層、２６…電子注入層、２７…陰極、２８…封止層、３０…ドライバ、３１…水平セレクタ、３２…ライトスキャナ、３１０…筐体、３２０…表示面、４１０…照明部、４２０…天井、４３０…壁、Ｔｒ１…駆動トランジスタ、Ｔｒ２…選択トランジスタ、Ｃｓ…保持容量、ＤＳＬ…電源線、ＤＴＬ…信号線、Ｌ１，Ｌ２，Ｌ３，Ｌ４，Ｌ５…幅、Ｖｇｓ…ゲート−ソース間電圧、Ｖｓｉｇ…信号電圧、ＷＳＬ…選択線。
【図１】
2019186023.tif 000003
【図２】
2019186023.tif 000004
【図３】
2019186023.tif 000005
【図４】
2019186023.tif 000006
【図５】
2019186023.tif 000007
【図６】
2019186023.tif 000008
【図７】
2019186023.tif 000009
【図８】
2019186023.tif 000010
【図９】
2019186023.tif 000011
【図１０】
2019186023.tif 000012
【図１１】
2019186023.tif 000013
【図１２】
2019186023.tif 000014
【図１３】
2019186023.tif 000015
【図１４】
2019186023.tif 000016
【図１５】
2019186023.tif 000017
【図１６】
2019186023.tif 000018